(57)【要約】【課題】部品点数を削減し、組付性とリサイクル性をともに向上させることができる駆動伝達装置を得る。【解決手段】原稿に光を照射し原稿から反射された光を所定方向に導く走査体を移動させる駆動伝達装置であって、走査体に駆動力を伝達するベルトが懸架されるベルト懸架部４８と、ベルト懸架部４８の軸方向の一方側に設けられベルト懸架部４８の径より大きな径のフランジ４６と、を有するプーリ５６と、ベルト懸架部４８の軸方向の他方側に弾性爪５８、６０によって着脱可能に設けられベルト懸架部４８の径より大きな径の着脱フランジ４７と、を備えた構成とした。【選択図】      図３
2005208277.tif 000002
【特許請求の範囲】
【請求項１】
原稿に光を照射し原稿から反射された光を所定方向に導く走査体を移動させる駆動伝達装置であって、
前記走査体に駆動力を伝達するベルトが懸架されるベルト懸架部と、前記ベルト懸架部の軸方向の一方側に設けられ前記ベルト懸架部の径より大きな径のフランジと、を有するプーリと、
前記ベルト懸架部の軸方向の他方側に弾性爪によって着脱可能に設けられ前記ベルト懸架部の径より大きな径の着脱フランジと、
を備えたことを特徴とする駆動伝達装置。
【請求項２】
前記弾性爪は、前記着脱フランジの側面から突出し前記着脱フランジの径方向外側に撓む一対の支持片と、前記支持片の先端部近傍から前記着脱フランジの径方向内側に向かって設けられ前記プーリに係止する突部と、で構成され、
前記プーリには、前記着脱フランジが取り付けられるときに前記突部を押圧し前記支持片を前記着脱フランジの径方向外側に押し広げる拡張部材と、前記支持片が前記着脱フランジの径方向外側に押し広げられた状態で挿入される挿入孔と、前記突部が係止する係止部と、が設けられ、
前記突部が前記挿入孔を通過して前記拡張部材からの押圧が解除されたときに、前記突部が前記係止部に係止することを特徴とする請求項１に記載の駆動伝達装置。
【請求項３】
前記弾性爪は、前記着脱フランジに形成された貫通孔の外縁に設けられていることを特徴とする請求項２に記載の駆動伝達装置。
【請求項４】
前記駆動伝達装置は、さらに、前記走査体からの反射光を撮像手段に導く副走査体を駆動するために用いられ、
前記拡張部材の前記ベルト懸架部を基準とした軸方向反対側の側面には、前記拡張部材の径よりも小径であり前記副走査体に駆動を伝達する副ベルトを懸架するための小径懸架部が設けられ、
前記小径懸架部の前記拡張部材を基準とした軸方向反対側の側面には、駆動源から前記プーリへ駆動力を伝達する駆動軸が挿入される筒状部が設けられ、
前記筒状部に前記駆動軸が挿入されて前記プーリを固定手段によって前記駆動軸に固定するときに、前記小径懸架部の前記拡張部材を基準とした軸方向反対側の側面には、前記小径懸架部の径より大きな径のフランジ部材が前記固定手段によって位置決めされることを特徴とする請求項２又は３に記載の駆動伝達装置。
【発明の詳細な説明】
【技術分野】
【０００１】
本発明は、画像読取装置の走査体を移動させる駆動伝達装置に関する。
【背景技術】
【０００２】
従来、画像読取装置の駆動伝達装置として、ステッピングモータの駆動力を減速機構と駆動軸とを介してベルトに伝えるための駆動プーリが用いられている。
この駆動プーリは、駆動軸に固定されている。また、駆動プーリと対向するように従動プーリが回転可能に配置されている。駆動プーリ及び従動プーリには、走査体に駆動力を伝達するためのベルトがそれぞれのベルト懸架部に懸架されている。駆動プーリ及び従動プーリには、懸架したベルトが外れないようにそれぞれのベルト懸架部の両端にフランジが設けられている。また、ベルトは一箇所で走査体に接続されている。上記駆動伝達装置によれば、ステッピングモータによって減速機構を介して駆動軸を回転させると、駆動プーリが回転し、ベルトに駆動力が伝達される。走査体は、ベルトより駆動力が伝達され、プラテンガラスの下面に沿って走査方向に移動する。
【０００３】
【特許文献１】特開２００１−１４４８９７号公報
【発明の開示】
【発明が解決しようとする課題】
【０００４】
ここで、一対のフランジを有する駆動プーリあるいは従動プーリを金型で成型する場合、金型の構造上、駆動プーリあるいは従動プーリを金型からそれらの軸方向に抜く必要があるが、駆動プーリあるいは従動プーリのフランジの径がベルト懸架部の径より大きいため、どちらか一方のフランジを別部材とせざるを得ない。従来、この別部材としたフランジはＥリングや止具等の補材によって、駆動プーリ及び従動プーリに取り付けられていたが、このような駆動プーリ及び従動プーリは、部品点数が多くなる問題があった。特に、リサイクル、リユースする際の分解性の悪さは問題となっていた。
【０００５】
そこで、本発明は、上記事情を考慮し、部品点数を削減し、組付性とリサイクル性をともに向上させることができる駆動伝達装置を提供することを目的とする。
【課題を解決するための手段】
【０００６】
請求項１に記載の発明は、原稿に光を照射し原稿から反射された光を所定方向に導く走査体を移動させる駆動伝達装置であって、前記走査体に駆動力を伝達するベルトが懸架されるベルト懸架部と、前記ベルト懸架部の軸方向の一方側に設けられ前記ベルト懸架部の径より大きな径のフランジと、を有するプーリと、前記ベルト懸架部の軸方向の他方側に弾性爪によって着脱可能に設けられ前記ベルト懸架部の径より大きな径の着脱フランジと、を備えたことを特徴とする。
【０００７】
請求項１に記載の発明によれば、プーリのベルト懸架部にはベルトが掛けてあり、プーリの回転に伴ってベルトに駆動力が伝えられる。走査体は、ベルトを介して駆動力が伝えられて走査方向に移動される。ベルト懸架部の両側には、ベルト懸架部の径よりも大きな径のフランジと着脱フランジがあるため、ベルトがベルト懸架部の幅方向（軸方向）にずれた場合にでもベルトが一方のフランジと接触しベルトの脱落を防止できる。
ここで、着脱フランジは、弾性爪の変形によりプーリに取り付けられ又はプーリから取り外される。このため、補材等を用いずに着脱フランジをプーリに取り付け又はプーリから取り外すことができる。この結果、部品数を削減することができ、駆動伝達装置の組付性とリサイクル性とをともに向上させることができる。
【０００８】
請求項２に記載の発明は、請求項１に記載の駆動伝達装置において、前記弾性爪は、前記着脱フランジの側面から突出し前記着脱フランジの径方向外側に撓む一対の支持片と、前記支持片の先端部近傍から前記着脱フランジの径方向内側に向かって設けられ前記プーリに係止する突部と、で構成され、前記プーリには、前記着脱フランジが取り付けられるときに前記突部を押圧し前記支持片を前記着脱フランジの径方向外側に押し広げる拡張部材と、前記支持片が前記着脱フランジの径方向外側に押し広げられた状態で挿入される挿入孔と、前記突部が係止する係止部と、が設けられ、前記突部が前記挿入孔を通過して前記拡張部材からの押圧が解除されたときに、前記突部が前記係止部に係止することを特徴とする。
【０００９】
請求項２に記載の発明によれば、着脱フランジをプーリに取り付ける時には、着脱フランジの突部を拡張部材の外周に接触させて押し込むことにより、支持片が拡張部材に押圧され着脱フランジの径方向外側に押し広げられる。この状態で弾性爪をプーリの挿入孔に挿入していく。突部が挿入孔を通過し拡張部材からの押圧が解除されると、弾性爪は、弾性力により元の形状に戻る。このとき、突部は着脱フランジの径方向内側に向けて形成されているので、突部がプーリの係止部に係止される。これによって、着脱フランジは、プーリに装着され、かつその状態を維持させることが可能となる。
一方、着脱フランジをプーリから取り外す時には、着脱フランジの突部を着脱フランジの径方向外側に押し広げ、突部と係止部との係止状態を解除する。係止状態を解除した後、弾性爪をプーリの挿入孔から引き出す。突部が拡張部材を通過して引き出されると、弾性爪は、拡張部材による押圧から解除され、その弾性力により元の形状に戻る。これによって、着脱フランジをプーリから容易に取り外すことが可能となる。
【００１０】
請求項３に記載の発明は、請求項２に記載の駆動伝達装置において、前記弾性爪は、前記着脱フランジに形成された貫通孔の外縁に設けられていることを特徴とする。
【００１１】
請求項３に記載の発明によれば、金型を用いて着脱フランジを製造する時に、貫通孔を利用して突部を形成することができるため、突部がアンダーカットになることがない。これにより、着脱フランジにアンダーカットを解消するための抜き孔を設ける必要がなく、着脱フランジの強度が低下することを防止できる。
【００１２】
請求項４に記載の発明は、請求項２又は３に記載の駆動伝達装置において、前記駆動伝達装置は、さらに、前記走査体からの反射光を撮像手段に導く副走査体を駆動するために用いられ、前記拡張部材の前記ベルト懸架部を基準とした軸方向反対側の側面には、前記拡張部材の径よりも小径であり前記副走査体に駆動を伝達する副ベルトを懸架するための小径懸架部が設けられ、前記小径懸架部の前記拡張部材を基準とした軸方向反対側の側面には、駆動源から前記プーリへ駆動力を伝達する駆動軸が挿入される筒状部が設けられ、前記筒状部に前記駆動軸が挿入されて前記プーリを固定手段によって前記駆動軸に固定するときに、前記小径懸架部の前記拡張部材を基準とした軸方向反対側の側面には、前記小径懸架部の径より大きな径のフランジ部材が前記固定手段によって位置決めされることを特徴とする。
【００１３】
請求項４に記載の発明によれば、プーリは、固定手段によって駆動軸に固定される。プーリのベルト懸架部には、ベルトが懸架され、駆動軸の回転に伴ってプーリを介してベルトに駆動力が伝えられる。また、プーリの小径懸架部には、副ベルトが掛けてあり、駆動軸の回転に伴ってプーリを介して副ベルトに駆動力が伝えられる。これにより、走査体はベルトの駆動に伴って移動し、副走査体は副ベルトの駆動に伴って移動する。
ここで、拡張部材のベルト懸架部を基準とした軸方向反対側の側面は、小径懸架部の径より大きい径となっているので、副ベルトが小径懸架部上を拡張部材側にずれようとした場合に、副ベルトが拡張部材の上記側面と接触する。
また、駆動軸が筒状部に挿入されてプーリを固定手段によって駆動軸に固定するときには、小径懸架部の拡張部材を基準とした軸方向反対側の側面に固定手段によってフランジ部材が位置決めされているので、副ベルトが小径懸架部上を筒状部側にずれようとした場合にも、副ベルトがフランジ部材と接触する。
これらのように、副ベルトが小径懸架部上をずれようとした場合に、拡張部材の側面又はフランジ部材により副ベルトの脱落を阻止できる。
【発明の効果】
【００１４】
請求項１に記載の発明は、補材等を一切用いず弾性爪の変形により、着脱フランジをプーリに取り付け又はプーリから取り外すことができる。この結果、部品数を削減することができ、駆動伝達装置の組付性とリサイクル性をともに向上させることができる。
【００１５】
請求項２に記載の発明は、着脱フランジをプーリに取り付ける時には、着脱フランジの突部を拡張部材の外周に接触させて押し込むことにより、支持片が拡張部材に押圧され着脱フランジの径方向外側に押し広げられる。この状態で弾性爪をプーリの挿入孔に挿入していく。突部が挿入孔を通過し拡張部材からの押圧が解除されると、弾性爪は、弾性力により元の形状に戻る。このとき、突部は着脱フランジの径方向内側に向けて形成されているので、突部がプーリの係止部に係止される。これによって、着脱フランジをプーリに装着することができ、かつその状態を維持させることができる。
一方、着脱フランジをプーリから取り外す時には、着脱フランジの突部を着脱フランジの径方向外側に押し広げ、突部と係止部との係止状態を解除する。係止状態を解除した後、弾性爪をプーリの挿入孔から引き出す。突部が拡張部材を通過して引き出されると、弾性爪は、拡張部材による押圧から解除され、その弾性力により元の形状に戻る。これによって、着脱フランジをプーリから容易に取り外すことができる。
【００１６】
請求項３に記載の発明は、着脱フランジにアンダーカットを解消するための抜き孔を設ける必要がなく、着脱フランジの強度が低下することを防止できる。
【００１７】
請求項４に記載の発明は、副ベルトが小径懸架部上をずれようとした場合に、拡張部材の側面又はフランジ部材により副ベルトの脱落を阻止できる。
【発明を実施するための最良の形態】
【００１８】
次に、本発明の実施形態に係る駆動伝達装置について、図面を参照して説明する。
【００１９】
先ず、駆動伝達装置１０を用いた画像読取装置１２の概略構成について説明する。
図１及び図２に示すように、本発明の駆動伝達装置１０を用いた画像読取装置１２は、上面が開口した箱型の筐体１４を備えている。この筐体１４の上面１６にはプラテンガラス１８が配置されている。また、筐体１４の一方の筐体壁１５の近傍には、駆動源のステッピングモータ２２が配置されている。ステッピングモータ２２には、ステッピングモータ２２の回転速度を減速するための減速機構２４が接続されている。減速機構２４には駆動軸２６が接続されている。駆動軸２６の両端には、駆動プーリ２８、３０（駆動伝達装置）がそれぞれ固定されている。また、筐体１４の他方の筐体壁１１の近傍には、従動プーリ３２、３４（駆動伝達装置）が回転可能に設けられている。また、筐体１４の内部２０には、後述の副走査体８８から受光した反射光を集光するレンズ９６が配置されている。また、レンズ９６の近傍には、レンズ９６で集光した反射光を受光し光信号を電気信号に変換させるＣＣＤ基盤９８が配置されている。
【００２０】
ここで、各プーリ２８、３０、３２、３４は、いずれも構成が同じなので、１つの駆動プーリ２８を例にとり、その構成を説明する。
図３乃至図５に示すように、駆動プーリ２８は、フランジ４６とベルト懸架部４８と拡張部材５０と小径懸架部５２と筒状部５４とを有する後述のプーリ本体５６（プーリ）と、弾性爪５８、６０を有する後述の着脱フランジ４７と、後述の小径フランジ部材４９（フランジ部材）と、で構成されている。
【００２１】
プーリ本体５６には、ベルト懸架部４８の幅方向（軸方向）の一方側（図３中矢印Ｘ方向）にベルト懸架部４８の径より大きな径のフランジ４６が形成されている。
また、ベルト懸架部４８の幅方向（軸方向）の他方側（図３中矢印Ｙ方向）には、円筒状の拡張部材５０が形成されている。拡張部材５０は、着脱フランジ４７が取り付けられるときに弾性爪５８、６０の突部６２、６４（後述）を拡張部材５０の径方向外側（図３中矢印Ｏ方向）に押し広げる外周部を備えている。
さらに、ベルト懸架部４８の側面には、着脱フランジ４７の弾性爪５８、６０が挿入される挿入孔６６、６８がそれぞれ形成されている。これらの挿入孔６６、６８は、ベルト懸架部４８をその幅方向に貫通している。また、ベルト懸架部４８には、弾性爪５８、６０の突部６２、６４（後述）が係止される係止部７０、７２がそれぞれ形成されている。
また、拡張部材５０のベルト懸架部４８を基準とした軸方向反対側（図３中矢印Ｙ方向）の側面７４には、副ベルト４０を懸架するための小径懸架部５２が側面７４から突出させて形成されている。小径懸架部５２は、拡張部材５０の径よりも小径となるように形成されている。
また、小径懸架部５２の拡張部材５０を基準とした軸方向反対側（図３中矢印Ｙ方向）の側面７５には、筒状部５４が側面７５から突出させるようにして形成されている。この筒状部５４には、駆動軸２６が挿入可能に貫通孔５５が形成されている。さらに、筒状部５４の軸方向中央には、プーリ本体５６を駆動軸２６に固定するための固定部材１００を挿入する挿入孔７７が形成されている。
【００２２】
図３乃至図５に示すように、着脱フランジ４７は、フランジ部５１と、このフランジ部５１の側面から突出させて形成した弾性爪５８、６０と、で構成されている。この着脱フランジ４７は、弾性爪５８、６０の弾性変形によってベルト懸架部４８の軸方向一方側（図３中矢印Ｙ方向）に着脱可能に設けられる。
また、フランジ部５１は、ベルト懸架部４８の径より大きな径に形成されている。また、フランジ部５１には、組付時に拡張部材５０が挿入される貫通孔７６が形成されている。
また、弾性爪５８、６０は、フランジ部５１の貫通孔７６の外縁上に形成されている。さらに、弾性爪５８、６０は、フランジ４６の径方向外側（図３中矢印Ｏ方向）に撓む一対の支持片７８、８０と、支持片７８、８０の先端部近傍からフランジ４６の径方向内側（図３中矢印Ｏ方向と反対方向）に向かって設けられた突部６２、６４と、で構成されている。このため、突部６２、６４は、貫通孔７６の外縁から径方向内側（図３中矢印Ｏ方向と反対方向）に位置している。これにより、金型を用いて着脱フランジ４７を製造する時に、貫通孔７６を利用して突部６２、６４を形成することができるため、突部６２、６４がアンダーカットになることがない。これにより、着脱フランジ４７にアンダーカットを解消するための抜き孔を設ける必要がなく、着脱フランジ４７の強度が低下することを防止できる。
【００２３】
また、小径フランジ部材４９は、小径懸架部５２の径より大きな径に形成されている。これにより、副ベルト４０が小径懸架部５２から脱落することを防止している。この小径フランジ部材４９は、筒状部５４の外周に装着され固定部材１００によって小径懸架部５２の軸方向一方側（図３中矢印Ｙ方向）の側面７５において位置決めされている。
【００２４】
図１に示すように、筐体１４の内部２０には、プラテンガラス１８の下面に沿って走査方向に移動可能となるように走査体４４が配置されている。走査体４４は、原稿Ｐに光を照射する光源８４と、原稿Ｐから反射された光を所定方向に導くミラー８６と、を備えている。副走査体８８は、走査体４４から受光した反射光をレンズ９６に導く反射ミラー９０、９２を備えている。
【００２５】
また、駆動プーリ２８のベルト懸架部４８から従動プーリ３２のベルト懸架部（図示省略）に渡ってベルト３６が掛けられている。さらに、駆動プーリ２８の小径懸架部５２から従動プーリ３２の小径懸架部（図示省略）に渡って副ベルト４０が掛けられている。また、同様にして、駆動プーリ３０と従動プーリ３４にも、ベルト３８及び副ベルト４２がそれぞれ掛け渡されている。
さらに、各ベルト３６、３８の一部が走査体４４に接続されている。また、各副ベルト４０、４２の一部が副走査体８８に接続されている。
【００２６】
次に、本発明の一実施形態に係る駆動伝達装置１０の作用について説明する。
なお、駆動プーリ２８、３０と従動プーリ３２、３４との形状及び構成は全て同じなので、駆動プーリ２８の作用を例にとり説明する。
【００２７】
図３乃至図５に示すように、着脱フランジ４７をプーリ本体５６に取り付けるときには、着脱フランジ４７の弾性爪５８、６０が拡張部材５０の傾斜部５３と接触し、この状態で着脱フランジ４７をベルト懸架部４８側に押し込むと、弾性爪５８、６０が傾斜部５３により押圧されて弾性爪５８、６０の支持片７８、８０及び突部６２、６４が拡張部材５０の径方向外側（図３中矢印Ｏ方向）に押し広げられる。これにより、着脱フランジ４７の弾性爪５８、６０が拡張部材５０の外周面に位置することになる。そして、着脱フランジ４７は、拡張部材５０の外周面上をベルト懸架部４８側に移動していき、弾性爪５８がプーリ本体５６の挿入孔６６、６８に挿入されていく。突部６２が挿入孔６６、６８を通過して拡張部材５０からの押圧が解除されると、弾性爪５８、６０はその弾性力により元の形状に戻る。このとき、突部６２、６４がプーリ本体５６の係止部７０、７２に係止される。これによって、補材を用いずに容易に着脱フランジ４７がプーリ本体５６に固定される。この結果、駆動プーリ２８の部品点数を削減することができ、駆動プーリ２８の組付性及びリサイクル性をともに向上させることができる。
【００２８】
ここで、図４に示すように、ベルト懸架部４８の幅方向（軸方向）の両側には、フランジ４６と着脱フランジ４７が位置しているため、ベルト３６がベルト懸架部４８上を幅方向にずれた場合に、ベルト３６がフランジ４６又は着脱フランジ４７と接触する。これにより、ベルト３６がベルト懸架部４８から脱落してしまうことを防止できる。
また、小径懸架部５２の幅方向の両側には、小径懸架部５２よりも径が大きな拡張部材５０の側面７４と小径フランジ部材４９とがあるため、副ベルト４０が小径懸架部５２上を幅方向にずれた場合に、副ベルト４０が拡張部材５０の側面７４又は小径フランジ部材４９と接触する。これにより、副ベルト４０が小径懸架部５２から脱落してしまうことを防止できる。
また、図５に示すように、駆動プーリ２８は、筒状部５４の貫通孔５５に駆動軸２６が挿通された状態で固定部材１００により駆動軸２６に固定されているが、このとき、小径フランジ部材４９は、固定部材１００により小径懸架部５２の側面７５に押し付けられている。これにより、固定部材１００に小径フランジ部材４９の位置決め機能を持たせることができ、副ベルト４０の脱落を防止することができる。
【００２９】
一方、着脱フランジ４７をプーリ本体５６から取り外すときには、弾性爪５８、６０の突部６２、６４を径方向外側（図３中矢印Ｏ方向）に押し広げ、突部６２、６４と係止部７０、７２との係止状態を解除する。係止状態を解除した状態で、弾性爪５８、６０をプーリ本体５６の挿入孔６６、６８から引き出す。弾性爪５８、６０の突部６２、６４が拡張部材５０を通過して引き出されると、弾性爪５８、６０は、拡張部材５０による押圧から解除され、弾性力により元の形状に戻る。
このように、取り付けるための補材を用いていないため、着脱フランジ４７をプーリ本体５６から容易に取り外すことができる。この結果、駆動プーリ２８の部品点数を削減することができ、駆動プーリ２８の組付性及びリサイクル性をともに向上させることができる。
【図面の簡単な説明】
【００３０】
【図１】本発明の一実施形態に係る駆動伝達装置が用いられる画像読取装置の概略構成図である。
【図２】本発明の一実施形態に係る駆動伝達装置が用いられる画像読取装置の内部斜視図である。
【図３】本発明の一実施形態に係る駆動伝達装置の分解斜視図である。
【図４】本発明の一実施形態に係る駆動伝達装置の斜視図である。
【図５】本発明の一実施形態に係る駆動伝達装置の断面図である。
【符号の説明】
【００３１】
１０  駆動伝達装置
２８、３０  駆動プーリ（駆動伝達装置）
３２、３４  従動プーリ（駆動伝達装置）
４６  フランジ
４７  着脱フランジ（駆動伝達装置）
４８  ベルト懸架部
４９  小径フランジ部材（フランジ部材）
５０  拡張部材
５２  小径懸架部
５４  筒状部
５６  プーリ本体（プーリ）
５８、６０  弾性爪
６２、６４  突部
６６、６８  挿入孔
７０、７２  係止部
７６        貫通孔
７８、８０  支持片
８８        副走査体
１００      固定部材（固定手段）
【図１】
2005208277.tif 000003
【図２】
2005208277.tif 000004
【図３】
2005208277.tif 000005
【図４】
2005208277.tif 000006
【図５】
2005208277.tif 000007